(57)【要約】【課題】複数のバッテリを装着でき、かつ、選択されているバッテリを誤って取り外してしまうという誤操作を防止する。【解決手段】バッテリ着脱ユニット５は、バッテリ７ａ，７ｂを収納するバッテリ収納ケース１５と、押下されることでストッパ部１４ａｂが退避してバッテリ７ａの着脱を可能とする取り出しボタン１４ａと、押下されることでストッパ部１４ｂｂが退避してバッテリ７ｂの着脱を可能とする取り出しボタン１４ｂと、バッテリ７ａ，７ｂのいずれかを選択する切替スイッチ１２と、を備える。切替スイッチ１２は、バッテリ７ａが選択されている場合に取り出しボタン１４ａが押下されることを防止するストッパ部１２ｂと、バッテリ７ｂが選択されている場合に、取り出しボタン１４ｂが押下されることを防止するストッパ部１２ｅと、を備える。【選択図】図３
2014203803.tif 000002
【特許請求の範囲】
【請求項１】
第１のバッテリ及び第２のバッテリを着脱可能に収納するバッテリ収納ケースと、
前記第１のバッテリの着脱を防止する第１のストッパ部を有し、押下されることで前記第１のストッパ部が退避して前記第１のバッテリの着脱を可能とする第１の取り出しボタンと、
前記第２のバッテリの着脱を防止する第２のストッパ部を有し、押下されることで前記第２のストッパ部が退避して前記第２のバッテリの着脱を可能とする第２の取り出しボタンと、
前記第１のバッテリ及び前記第２のバッテリのいずれかを選択する切替スイッチと、
を備え、
前記切替スイッチは、
前記第１のバッテリが選択されている場合に、前記第１の取り出しボタンが押下されることを防止する第３のストッパ部と、
前記第２のバッテリが選択されている場合に、前記第２の取り出しボタンが押下されることを防止する第４のストッパ部と、
を備え、
前記第１のバッテリが選択されている場合には、前記第１の取り出しボタンは前記第３のストッパ部によって押下されることを防止され、前記第２の取り出しボタンは前記第４のストッパ部が退避して押下されることを可能とされ、
前記第２のバッテリが選択されている場合には、前記第２の取り出しボタンは前記第４のストッパ部によって押下されることを防止され、前記第１の取り出しボタンは前記第３のストッパ部が退避して押下されることを可能とされることを特徴とするバッテリ着脱ユニット。
【請求項２】
前記切替スイッチ、及び、外部から電力が供給される電源端子にそれぞれ接続された充電・放電ＩＣを有する電源基板を、さらに備えたことを特徴とする請求項１記載のバッテリ着脱ユニット。
【請求項３】
請求項１記載のバッテリ着脱ユニットを備え、
前記切替スイッチによって、前記第１のバッテリが選択されている場合には前記第１のバッテリから電力が供給され、前記第２のバッテリが選択されている場合には前記第２のバッテリから電力が供給されることを特徴とする電子機器。
【請求項４】
請求項２記載のバッテリ着脱ユニットと、
前記電源端子と、
前記充電・放電ＩＣに接続されたシステム部と、
前記充電・放電ＩＣを制御する制御部と、
前記制御部によってＯＮ状態かＯＦＦ状態が検出される電源ＯＮ／ＯＦＦスイッチと、
を備え、
前記制御部は、
前記電源ＯＮ／ＯＦＦスイッチがＯＮ状態の場合には、前記電源端子を介して外部から電力が供給される状態にあるか否かを判断し、外部から電力が供給される状態にあると判断した場合には外部からの電力を前記システム部に供給し、外部から電力が供給される状態にないと判断した場合には前記切替スイッチによって選択されたバッテリから電力を前記システム部に供給し、
前記電源ＯＮ／ＯＦＦスイッチがＯＦＦ状態の場合には、前記電源端子を介して外部から電力が供給される状態にあるか否かを判断し、外部から電力が供給される状態にないと判断した場合には前記システム部への電力の供給を停止し、外部から電力が供給される状態にあると判断した場合には外部からの電力を前記切替スイッチによって選択されたバッテリに供給して前記選択されたバッテリの充電を行うように、前記充電・放電ＩＣを制御することを特徴とする電子機器。
【発明の詳細な説明】
【技術分野】
【０００１】
本発明はバッテリ着脱ユニット及びバッテリ着脱ユニットを備えた電子機器に関する。
【背景技術】
【０００２】
一般的に、電子機器、特にビデオカメラ等の携帯型の電子機器は、バッテリ着脱ユニットを備えている。
バッテリ着脱ユニットを備えた電子機器の一例が特許文献１に開示されている。
【先行技術文献】
【特許文献】
【０００３】
【特許文献１】特開２００９−１６４７５７号公報
【発明の概要】
【発明が解決しようとする課題】
【０００４】
特許文献１に開示されているように、バッテリ着脱ユニットに装着されるバッテリは通常１個である。そのため、電子機器を長時間使用する場合、使用者は予備のバッテリを複数携帯し、バッテリ着脱ユニットに装着されているバッテリが消耗する度に、予備のバッテリに付け替える作業が必要になる。
バッテリを付け替えている作業中は、電子機器を使用することができないため、その改善が望まれている。
【課題を解決するための手段】
【０００５】
そこで、本発明は、上記の課題を解決するために、次のバッテリ着脱ユニット及びバッテリ着脱ユニットを備えた電子機器を提供する。
１）第１のバッテリ（７ａ）及び第２のバッテリ（７ｂ）を着脱可能に収納するバッテリ収納ケース（１５）と、前記第１のバッテリ（７ａ）の着脱を防止する第１のストッパ部（１４ａｂ）を有し、押下されることで前記第１のストッパ部（１４ａｂ）が退避して前記第１のバッテリ（７ａ）の着脱を可能とする第１の取り出しボタン（１４ａ）と、前記第２のバッテリ（７ｂ）の着脱を防止する第２のストッパ部（１４ｂｂ）を有し、押下されることで前記第２のストッパ部（１４ｂｂ）が退避して前記第２のバッテリ（７ｂ）の着脱を可能とする第２の取り出しボタン（１４ｂ）と、前記第１のバッテリ（７ａ）及び前記第２のバッテリ（７ｂ）のいずれかを選択する切替スイッチ（１２）と、を備え、前記切替スイッチ（１２）は、前記第１のバッテリ（７ａ）が選択されている場合に、前記第１の取り出しボタン（１４ａ）が押下されることを防止する第３のストッパ部（１２ｂ，１２ｃ）と、前記第２のバッテリ（７ｂ）が選択されている場合に、前記第２の取り出しボタン（１４ｂ）が押下されることを防止する第４のストッパ部（１２ｅ，１２ｆ）と、を備え、前記第１のバッテリ（７ａ）が選択されている場合には、前記第１の取り出しボタン（１４ａ）は前記第３のストッパ部（１２ｂ，１２ｃ）によって押下されることを防止され、前記第２の取り出しボタン（１４ｂ）は前記第４のストッパ部（１２ｅ，１２ｆ）が退避して押下されることを可能とされ、前記第２のバッテリ（７ａ）が選択されている場合には、前記第２の取り出しボタン（１４ｂ）は前記第４のストッパ部（１２ｅ，１２ｆ）によって押下されることを防止され、前記第１の取り出しボタン（１４ａ）は前記第３のストッパ部（１２ｂ，１２ｃ）が退避して押下されることを可能とされることを特徴とするバッテリ着脱ユニット（５）。
２）前記切替スイッチ（１２）、及び、外部から電力が供給される電源端子（２１）にそれぞれ接続された充電・放電ＩＣ（２３）を有する電源基板（１０）を、さらに備えたことを特徴とする１）記載のバッテリ着脱ユニット。
３）１）記載のバッテリ着脱ユニットを備え、前記切替スイッチ（１２）によって、前記第１のバッテリ（７ａ）が選択されている場合には前記第１のバッテリ（７ａ）から電力が供給され、前記第２のバッテリ（７ｂ）が選択されている場合には前記第２のバッテリ（７ｂ）から電力が供給されることを特徴とする電子機器（１）。
４）２）記載のバッテリ着脱ユニット（５）と、前記電源端子（２１）と、前記充電・放電ＩＣ（２３）に接続されたシステム部（２）と、前記充電・放電ＩＣ（２３）を制御する制御部（２６）と、前記制御部によってＯＮ状態かＯＦＦ状態が検出される電源ＯＮ／ＯＦＦスイッチ（２７）と、を備え、前記制御部（２６）は、前記電源ＯＮ／ＯＦＦスイッチ（２７）がＯＮ状態の場合には、前記電源端子（２１）を介して外部から電力が供給される状態にあるか否かを判断し、外部から電力が供給される状態にあると判断した場合には外部からの電力を前記システム部（２）に供給し、外部から電力が供給される状態にないと判断した場合には前記切替スイッチ（１２）によって選択されたバッテリ（７ａ又は７ｂ）から電力を前記システム部（２）に供給し、前記電源ＯＮ／ＯＦＦスイッチ（２７）がＯＦＦ状態の場合には、前記電源端子（２１）を介して外部から電力が供給される状態にあるか否かを判断し、外部から電力が供給される状態にないと判断した場合には前記システム部（２）への電力の供給を停止し、外部から電力が供給される状態にあると判断した場合には外部からの電力を前記切替スイッチ（１２）によって選択されたバッテリ（７ａ又は７ｂ）に供給して前記選択されたバッテリ（７ａ又は７ｂ）の充電を行うように、前記充電・放電ＩＣ（２３）を制御することを特徴とする電子機器（１）。
【発明の効果】
【０００６】
本発明によれば、複数のバッテリを装着でき、かつ、選択されているバッテリを誤って取り外してしまうという誤操作を防止することが可能になる。
【図面の簡単な説明】
【０００７】
【図１】本発明に係るバッテリ着脱ユニット及びバッテリ着脱ユニットを備えた電子機器の一実施形態（実施例：ビデオカメラ）を説明するための模式的斜視図である。
【図２】本発明に係るバッテリ着脱ユニットの一実施形態を説明するための模式的斜視図である。
【図３】本発明に係るバッテリ着脱ユニットの一実施形態を説明するための模式的分解図である。
【図４】本発明に係るバッテリ着脱ユニットの一実施形態を説明するための模式的斜視図である。
【図５】本発明に係るバッテリ着脱ユニットの一実施形態における切替スイッチと取り出しボタンとの構成を説明するための模式的斜視図である。
【図６】本発明に係るバッテリ着脱ユニットにおいて、切替スイッチによってバッテリ７ｂが選択されたときの状態を示す模式図である。
【図７】図６の状態から、さらに取り出しボタン１４ａが押されたときの状態を示す模式図である。
【図８】本発明に係るバッテリ着脱ユニットにおいて、切替スイッチによってバッテリ７ａが選択され、さらに取り出しボタン１４ｂが押されたときの状態を示す模式図である。
【図９】本発明に係るバッテリ着脱ユニットを備えた電子機器の一実施形態における回路系を説明するための模式的ブロック図である。
【図１０】図９の回路系のフロー図である。
【図１１】図９の回路系以外の他の実施例の回路系を説明するための模式的ブロック図である。
【図１２】図１１の回路系のフロー図である。
【発明を実施するための形態】
【０００８】
本発明に係るバッテリ着脱ユニットを備えた電子機器の一形態として、ビデオカメラを例に挙げて説明する。なお、本発明に係るバッテリ着脱ユニットを備えた電子機器としては、ビデオカメラを限定されるものではなく、デジタルスチルカメラ、ノートパソコン等、バッテリ着脱ユニットを備えた電子機器であれば適用可能である。
【０００９】
＜実施例＞
図１に示すように、電子機器の一形態であるビデオカメラ１は、被写体を撮像する撮像部２（システムの一形態）と、撮像部２で撮像された画像を表示する表示部３（システムの一形態）と、撮像部２及び表示部３を制御する回路部４（図９参照）と、システムの一形態である撮像部２や表示部３に電力を供給するバッテリ着脱ユニット５と、撮像部２，表示部３，回路部４及びバッテリ着脱ユニット５が取り付けられた本体部６と、を有して構成されている。
また、ビデオカメラ１は、ＡＣアダプタ２０（図９参照）が接続される電源端子２１（図９参照）を有する。即ち、ビデオカメラ１は、バッテリ着脱ユニット５に装着されたバッテリ７から電力が供給され、また、ＡＣアダプタ２０及び電源端子２１を介して外部から電力が供給される。
【００１０】
次に、バッテリ着脱ユニット５について、さらに図２〜図１２を用いて説明する。
【００１１】
図１及び図２に示すバッテリ着脱ユニット５は、２つのバッテリ７をそれぞれ着脱可能に保持することができる。ここで、２つのバッテリを区別して説明しやすくするために、便宜上、図１及び図２において、左側のバッテリを７ａ、右側のバッテリを７ｂと符号を付す。
【００１２】
まず、バッテリ着脱ユニット５の機構系について説明する。
【００１３】
図３（ａ）及び（ｂ）に示すように、バッテリ着脱ユニット５は、電源基板１０と、導光レンズ１１と、切替スイッチ１２と、コイルばね１３と、取り出しボタン１４と、バッテリ収納ケース１５と、を有して構成されている。ここで、２つの導光レンズ、コイルばね及び取り出しボタンをそれぞれ区別して説明しやすくするために、便宜上、図３（ａ）において、左側の導光レンズ、コイルばね及び取り出しボタンを１１ａ，１３ａ及び１４ａ、右側の導光レンズ、コイルばね及び取り出しボタンを１１ｂ，１３ｂ及び１４ｂと符号を付す。
【００１４】
バッテリ７ａ，７ｂは、バッテリ収納ケース１５にそれぞれ独立して着脱可能に収納される。
【００１５】
バッテリ収納ケース１５は、バッテリ７ａ，７ｂが装着されるバッテリ装着部１５ｃと、取り出しボタン１４ａの先端部１４ａａが挿通される開口部１５ａａと、取り出しボタン１４ａのストッパ部１４ａｂが挿通される開口部１５ａｂと、取り出しボタン１４ｂの先端部１４ｂａが挿通される開口部１５ｂａと、取り出しボタン１４ｂのストッパ部１４ｂｂが挿通される開口部１５ｂｂ（図示せず）と、切替スイッチ１２の切替ツマミ１２ａが挿通される開口部１５ｄと、導光レンズ１１ａの先端を露出させる開口部１５ｅと、導光レンズ１１ｂの先端を露出させる開口部１５ｆと、を有して構成されている。
【００１６】
取り出しボタン１４ａは、その先端部１４ａａがバッテリ収納ケース１５の開口部１５ａａに挿通されてバッテリ７ａの上側に突出する。
また、取り出しボタン１４ａは、そのストッパ部１４ａｂがバッテリ収納ケース１５の開口部１５ａｂに挿通されてバッテリ７ａの上側に突出する。
また、取り出しボタン１４ａは、先端部１４ａａとは反対側に延出してコイルばね１３ａに挿通された棒状部１４ａｃを有する。
【００１７】
取り出しボタン１４ｂは、その先端部１４ｂａがバッテリ収納ケース１５の開口部１５ｂａに挿通されてバッテリ７ｂの上側に突出する。
また、取り出しボタン１４ｂは、そのストッパ部１４ｂｂがバッテリ収納ケース１５の開口部１５ｂｂ（図示せず）に挿通されてバッテリ７ｂの上側に突出する。
また、取り出しボタン１４ｂは、先端部１４ｂａとは反対側に延出してコイルばね１３ｂに挿通された棒状部１４ｂｃを有する。
【００１８】
コイルばね１３ａは、一端側が電源基板１０に当接し、他端側が取り出しボタン１４ａに当接し、取り出しボタン１４ａに対して開口部１５ａａ，１５ａｂ側に付勢力を付与する。
【００１９】
コイルばね１３ｂは、一端側が電源基板１０に当接し、他端側が取り出しボタン１４ｂに当接し、取り出しボタン１４ｂに対して開口部１５ｂａ，１５ｂｂ（図示せず）側に付勢力を付与する。
【００２０】
切替スイッチ１２は、切替ツマミ１２ａがバッテリ収納ケース１５の開口部１５ｄに挿通されて外部に露出している。
また、切替スイッチ１２は、切替ツマミ１２ａが開口部１５ｄ内をスライドするように構成されている。
操作者が切替スイッチ１２の切替ツマミ１２ａをバッテリ７ａ側（図１及び図２における左側）にスライドさせるとバッテリ７ａが選択され、バッテリ７ｂ側（図１及び図２における右側）にスライドさせるとバッテリ７ｂが選択される。
【００２１】
導光レンズ１１ａは、先端がバッテリ収納ケース１５の開口部１５ｅから露出する。
電源基板１０には、導光レンズ１１ａに対応する位置にＬＥＤ１６ａが設けられている。
切替スイッチ１２によってバッテリ７ａ（図１及び図２における左側）が選択されている場合に、ＬＥＤ１６ａを発光させることで発光した光が導光レンズ１１ａを通って開口部１５ｅから出射されるため、バッテリ７ａが選択されていることを視覚的により容易に確認することができる。
【００２２】
導光レンズ１１ｂは、先端がバッテリ収納ケース１５の開口部１５ｆから露出する。
電源基板１０には、導光レンズ１１ｂに対応する位置にＬＥＤ１６ｂが設けられている。
切替スイッチ１２によってバッテリ７ｂ（図１及び図２における右側）が選択されている場合に、ＬＥＤ１６ｂを発光させることで発光した光が導光レンズ１１ｂを通って開口部１５ｆから出射されるため、バッテリ７ｂが選択されていることを視覚的により容易に確認することができる。
【００２３】
ここで、バッテリ７ａ，７ｂの選択（着脱）機構について、さらに図４〜図８を用いて説明する。
【００２４】
まず、バッテリ７ｂを選択する場合について、図４〜図７を用いて説明する。
【００２５】
図４に示すように、バッテリ７ａ，７ｂは、矢印Ａ１の方向（上方向）にスライドさせてから、矢印Ａ２の方向（手前方向）に引き出すことによって取り出される。しかしながら、取り出しボタン１４ａ，１４ｂがコイルばね１３ａ，１３ｂによって開口部１５ａａ，１５ａｂ側，開口部１５ｂａ，１５ｂｂ側にそれぞれ付勢されているので、取り出しボタン１４ａ，１４ｂのストッパ部１４ａｂ，１４ｂｂがバッテリ７ａ，７ｂの上側にそれぞれ突出しているため、バッテリ７ａ，７ｂを矢印Ａ１の方向（上方向）にスライドさせることができない。
【００２６】
操作者が切替スイッチ１２の切替ツマミ１２ａをバッテリ７ｂ側にスライドさせてバッテリ７ｂを選択すると、図５及び図６に示す状態となる。
【００２７】
切替スイッチ１２は、取り出しボタン１４ａが押下されることを規制（防止）するストッパ部１２ｂ，１２ｃと、ストッパ部１２ｂとストッパ部１２ｃとを連結する連結部１２ｄと、取り出しボタン１４ｂが押下されることを規制（防止）するストッパ部１２ｅ，１２ｆと、ストッパ部１２ｅとストッパ部１２ｆとを連結する連結部１２ｇと、を有する。
【００２８】
取り出しボタン１４ａは、ストッパ部１２ｂの少なくとも一部を収容可能な凹部１４ａｄと、連結部１２ｄの少なくとも一部を収容可能であり、かつ、ストッパ部１２ｃを収容不可能な凹部１４ａｅと、連結部１２ｄの少なくとも一部を収容可能な凹部１４ａｆと、を有する。
凹部１４ａｄ，１４ａｅ，１４ａｆは、端面１４ａｇから先端部１４ａａに向かって凹んでいる。
【００２９】
取り出しボタン１４ｂは、ストッパ部１２ｅの少なくとも一部を収容可能な凹部１４ｂｄと、連結部１２ｇの少なくとも一部を収容可能であり、かつ、ストッパ部１２ｆを収容不可能な凹部１４ｂｅと、連結部１２ｇの少なくとも一部を収容可能な凹部１４ｂｆと、を有する。
凹部１４ｂｄ，１４ｂｅ，１４ｂｆは、端面１４ｂｇから先端部１４ｂａに向かって凹んでいる。
【００３０】
操作者が切替スイッチ１２の切替ツマミ１２ａをバッテリ７ｂ側にスライドさせると、ストッパ部１２ｂが取り出しボタン１４ａの凹部１４ａｄに対応する位置に移動し、連結部１２ｄが取り出しボタン１４ａの凹部１４ａｅ及び凹部１４ａｆに対応する位置に移動し、ストッパ部１２ｃが端面１４ａｇに対応しない位置に移動する。
【００３１】
従って、操作者が切替スイッチ１２の切替ツマミ１２ａをバッテリ７ｂ側にスライドさせた状態で、取り出しボタン１４ａを押下しようとすると、ストッパ部１２ｂの少なくとも一部が凹部１４ａｄに収容され、連結部１２ｄの少なくとも一部が凹部１４ａｅ及び凹部１４ａｆに収容され、ストッパ部１２ｃが端面１４ａｇに対応しない位置に移動しているため、取り出しボタン１４ａを押下することができる。取り出しボタン１４ａを押下した状態では、バッテリ７ａの上部に位置していたストッパ部１４ａｂが電源基板１０側に退避しているため、バッテリ７ａをバッテリ収納ケース１５から取り外すことができる。
【００３２】
また、切替スイッチ１２の切替ツマミ１２ａがバッテリ７ｂ側にスライドされた状態であれば、上述した理由と同様の理由により、ストッパ部１４ａｂを退避させることができるので、バッテリ７ａをバッテリ収納ケース１５に装着することができる。
【００３３】
一方、操作者が切替スイッチ１２の切替ツマミ１２ａをバッテリ７ｂ側にスライドさせると、ストッパ部１２ｅ及びストッパ部１２ｆが端面１４ｂｇに対応する位置に移動する。この状態で取り出しボタン１４ｂを押下しようとしても、端面１４ｂｇがストッパ部１２ｅ及びストッパ部１２ｆに当接してそれ以上、押下させることができない。
【００３４】
従って、切替スイッチ１２の切替ツマミ１２ａがバッテリ７ｂ側にスライドされた状態では、選択されていないバッテリ７ａをバッテリ収納ケース１５から取り外したり、バッテリ収納ケース１５に装着することができる一方、選択されたバッテリ７ｂをバッテリ収納ケース１５から取り外すことはできない。
そのため、選択されたバッテリ７ｂをバッテリ収納ケース１５から誤って取り外してしまうという誤操作を防止することができる。
【００３５】
次に、上述した操作とは反対に、操作者が切替スイッチ１２の切替ツマミ１２ａをバッテリ７ａ側にスライドさせた場合について、さらに図８を用いて説明する。
【００３６】
切替スイッチ１２の切替ツマミ１２ａがバッテリ７ａ側にスライドした状態で、取り出しボタン１４ｂを押下しようとすると、ストッパ部１２ｅの少なくとも一部が凹部１４ｂｄに収容され、連結部１２ｇの少なくとも一部が凹部１４ｂｅ及び凹部１４ｂｆに収容され、ストッパ部１２ｆが端面１４ｂｇに対応しない位置に移動しているため、取り出しボタン１４ｂを押下することができる。取り出しボタン１４ｂを押下した状態では、バッテリ７ｂの上部に位置していたストッパ部１４ｂｂが電源基板１０側に退避しているため、バッテリ７ｂをバッテリ収納ケース１５から取り外すことができる。
【００３７】
また、切替スイッチ１２の切替ツマミ１２ａがバッテリ７ａ側にスライドされた状態であれば、上述した理由と同様の理由により、ストッパ部１４ｂｂを退避させることができるので、バッテリ７ｂをバッテリ収納ケース１５に装着することができる。
【００３８】
一方、操作者が切替スイッチ１２の切替ツマミ１２ａをバッテリ７ａ側にスライドさせると、ストッパ部１２ｂ及びストッパ部１２ｃが端面１４ａｇに対応する位置に移動する。この状態で取り出しボタン１４ａを押下しようとしても、端面１４ａｇがストッパ部１２ｂ及びストッパ部１２ｃに当接してそれ以上、押下させることができない。
【００３９】
従って、切替スイッチ１２の切替ツマミ１２ａがバッテリ７ａ側にスライドした状態では、選択されていないバッテリ７ｂをバッテリ収納ケース１５から取り外したり、バッテリ収納ケース１５に装着することができる一方、選択されたバッテリ７ａをバッテリ収納ケース１５から取り外すことはできない。
そのため、選択されたバッテリ７ｂをバッテリ収納ケース１５から誤って取り外してしまうという誤操作を防止することができる。
【００４０】
次に、ビデオカメラ１の電気系について、さらに図９及び図１０を用いて説明する。なお、説明をわかりやすくするために、図９及び図１０において、図１〜図８に示す構成要素と同じ構成要素には同じ符号を付す。
【００４１】
図９に示すように、バッテリ着脱ユニット５の電源基板１０は、ＡＣアダプタ２０が接続される電源端子２１にＤＣライン２２を介して接続された充電・放電ＩＣ２３と、ＬＥＤ１６ａ，１６ｂとを有する。
【００４２】
充電・放電ＩＣ２３は、バッテリライン２４を介して切替スイッチ１２に接続されている。
また、充電・放電ＩＣ２３は、システムライン２５を介して撮像部２に接続されている。
また、充電・放電ＩＣ２３は、回路部４のマイコン２６によって制御される。
【００４３】
マイコン２６は、電源ＯＮ／ＯＦＦスイッチ２７に接続されており、電源ＯＮ／ＯＦＦスイッチ２７がＯＮ状態かＯＦＦ状態かを検出する。
【００４４】
バッテリ７ａ，７ｂは、それぞれ、一方の端子が切替スイッチ１２に接続され、他方の端子が電源基板１０のグランドＧＮＤに接地されている。
【００４５】
ＬＥＤ１６ａ，１６ｂは切替スイッチ１２に接続されており、切替スイッチ１２によってバッテリ７ａが選択された場合にはＬＥＤ１６ａが発光し、バッテリ７ｂが選択された場合にはＬＥＤ１６ｂが発光する。
【００４６】
次に、図９に示した電気系を用いてバッテリ７ａ，７ｂのいずれかを選択したときのフローについて図１０を用いて説明する。
【００４７】
マイコン２６は、電源ＯＮ／ＯＦＦスイッチ２７がＯＮ状態かＯＦＦ状態かを検出する（Ｓ１）。
【００４８】
Ｓ１において電源ＯＮ／ＯＦＦスイッチ２７がＯＮ状態である場合、マイコン２６は、ＡＣアダプタ２０が電源端子２１に接続されているか否かを検出する（Ｓ２）。
【００４９】
Ｓ２においてＡＣアダプタ２０が電源端子２１に接続されている場合、マイコン２６は、充電・放電ＩＣ２３を制御して、外部から、ＡＣアダプタ２０、電源端子２１、ＤＣライン２２、及びシステムライン２５を介して、撮像部２へ電力を供給する（Ｓ３）。
【００５０】
Ｓ２においてＡＣアダプタ２０が電源端子２１に接続されていない場合、マイコン２６は、充電・放電ＩＣ２３を制御して、バッテリライン２４とシステムライン２５とを接続する（Ｓ４）。
【００５１】
Ｓ４において切替スイッチ１２によりバッテリ７ａが選択されている場合、マイコン２６は、充電・放電ＩＣ２３を制御して、バッテリ７ａから、バッテリライン２４及びシステムライン２５を介して、撮像部２へ電力を供給し、ＬＥＤ１６ａを発光させる（Ｓ５）。
【００５２】
Ｓ４において切替スイッチ１２によりバッテリ７ｂが選択されている場合、マイコン２６は、充電・放電ＩＣ２３を制御して、バッテリ７ｂから、バッテリライン２４及びシステムライン２５を介して、撮像部２へ電力を供給し、ＬＥＤ１６ｂを発光させる（Ｓ６）。
【００５３】
Ｓ１において電源ＯＮ／ＯＦＦスイッチ２７がＯＦＦ状態である場合、マイコン２６は、ＡＣアダプタ２０が電源端子２１に接続されているか否かを検出する（Ｓ７）。
【００５４】
Ｓ７においてＡＣアダプタ２０が電源端子２１に接続されていない場合、マイコン２６は、充電・放電ＩＣ２３を制御して、システムライン２５から撮像部２への電力供給を停止する（Ｓ８）。
【００５５】
Ｓ７においてＡＣアダプタ２０が電源端子２１に接続されている場合、マイコン２６は、充電・放電ＩＣ２３を制御して、ＤＣライン２２とバッテリライン２４とを接続する（Ｓ９）。
【００５６】
Ｓ９において切替スイッチ１２によりバッテリ７ａが選択されている場合、マイコン２６は、充電・放電ＩＣ２３を制御して、外部から、ＡＣアダプタ２０、電源端子２１、ＤＣライン２２、及びバッテリライン２４を介して、バッテリ７ａへ電力を供給してバッテリ７ａの充電を行い、ＬＥＤ１６ａを発光させる（Ｓ１０）。
【００５７】
Ｓ９において切替スイッチ１２によりバッテリ７ｂが選択されている場合、マイコン２６は、充電・放電ＩＣ２３を制御して、外部から、ＡＣアダプタ２０、電源端子２１、ＤＣライン２２、及びバッテリライン２４を介して、バッテリ７ｂへ電力を供給してバッテリ７ｂの充電を行い、ＬＥＤ１６ｂを発光させる（Ｓ１１）。
【００５８】
次に、図９及び図１０とは異なる他の実施例について図１１及び図１２を用いて説明する。
図９及び図１０に示す構成及び手順では、切替スイッチ１２が機構的及び電気的にバッテリ７ａ，７ｂの切り替えを行っていたのに対し、図１１及び図１２に示す構成及び手順では、切替スイッチ１２が機構的にバッテリ７ａ，７ｂの切り替えを行い、切替スイッチ１２の接点位置を検出して電子スイッチ３２で電気的にバッテリ７ａ，７ｂの切り替えを行う点が主たる相違点である。なお、説明をわかりやすくするために、図１１及び図１２において、図１〜図１０に示す構成要素と同じ構成要素には同じ符号を付す。
【００５９】
図１１に示すように、バッテリ着脱ユニット３０の電源基板３１は、ＡＣアダプタ２０が接続される電源端子２１と、電源端子２１にＤＣライン２２を介して接続された充電・放電ＩＣ２３と、充電・放電ＩＣ２３にバッテリライン２４を介して接続された電子スイッチ３２と、ＬＥＤ１６ａ，１６ｂとを有する。
【００６０】
充電・放電ＩＣ２３は、システムライン２５を介して撮像部２に接続されている。
【００６１】
回路部３３は、マイコン２６と、マイコン２６に接続するスイッチ制御ＩＣ３４とを有する。
【００６２】
マイコン２６は、充電・放電ＩＣ２３に接続されており、充電・放電ＩＣ２３を制御する。
また、マイコン２６は、スイッチ制御ＩＣ３４を介して電子スイッチ３２に接続されており、スイッチ制御ＩＣ３４を介して電子スイッチ３２を制御する。
また、マイコン２６は、切替スイッチ１２に接続されており、切替スイッチ１２の接点位置を検出する。切替スイッチ１２は図３〜図８に示す構成を有する。
また、マイコン２６は、電源ＯＮ／ＯＦＦスイッチ２７に接続されており、電源ＯＮ／ＯＦＦスイッチ２７がＯＮ状態かＯＦＦ状態かを検出する。
また、マイコン２６は、ＬＥＤ１６ａ，１６ｂに接続されており、ＬＥＤ１６ａ，１６ｂの発光のＯｎ／ＯＦＦを制御する。
【００６３】
バッテリ７ａ，７ｂは、それぞれ、一方の端子が電子スイッチ３２に接続され、他方の端子が電源基板３１のグランドＧＮＤに接地されている。
【００６４】
次に、図１１に示した電気系を用いてバッテリ７ａ，７ｂのいずれかを選択したときのフローについて図１２を用いて説明する。
【００６５】
マイコン２６は、電源ＯＮ／ＯＦＦスイッチ２７がＯＮ状態かＯＦＦ状態かを検出する（Ｓ２１）。
【００６６】
Ｓ２１において電源ＯＮ／ＯＦＦスイッチ２７がＯＮ状態である場合、マイコン２６は、ＡＣアダプタ２０が電源端子２１に接続されているか否かを検出する（Ｓ２２）。
【００６７】
Ｓ２２においてＡＣアダプタ２０が電源端子２１に接続されている場合、マイコン２６は、充電・放電ＩＣ２３を制御して、外部から、ＡＣアダプタ２０、電源端子２１、ＤＣライン２２、及びシステムライン２５を介して、撮像部２へ電力を供給する（Ｓ２３）。
【００６８】
Ｓ２２においてＡＣアダプタ２０が電源端子２１に接続されていない場合、マイコン２６は、切替スイッチ１２の接点位置を検出する（Ｓ２４）。
【００６９】
Ｓ２４において切替スイッチ１２の接点位置がバッテリ７ａ側に位置していると検出された場合、マイコン２６は、切替スイッチ１２によってバッテリ７ａが選択されている判断し、スイッチ制御ＩＣ３４を介して電子スイッチ３２を制御し、バッテリ７ａとバッテリライン２４とを接続し、充電・放電ＩＣ２３を制御してバッテリライン２４とシステムライン２５とを接続する。これにより、バッテリ７ａから、バッテリライン２４及びシステムライン２５を介して、撮像部２へ電力が供給され、ＬＥＤ１６ａが発光する（Ｓ２５）。
【００７０】
Ｓ２４において切替スイッチ１２の接点位置がバッテリ７ｂ側に位置していると検出された場合、マイコン２６は、切替スイッチ１２によってバッテリ７ｂが選択されている判断し、スイッチ制御ＩＣ３４を介して電子スイッチ３２を制御し、バッテリ７ｂとバッテリライン２４とを接続し、充電・放電ＩＣ２３を制御してバッテリライン２４とシステムライン２５とを接続する。これにより、バッテリ７ｂから、バッテリライン２４及びシステムライン２５を介して、撮像部２へ電力が供給され、ＬＥＤ１６ｂが発光する（Ｓ２６）。
【００７１】
Ｓ２１において電源ＯＮ／ＯＦＦスイッチ２７がＯＦＦ状態である場合、マイコン２６は、ＡＣアダプタ２０が電源端子２１に接続されているか否かを検出する（Ｓ２７）。
【００７２】
Ｓ２７においてＡＣアダプタ２０が電源端子２１に接続されていない場合、マイコン２６は、充電・放電ＩＣ２３を制御して、システムライン２５から撮像部２への電力供給を停止する（Ｓ２８）。
【００７３】
Ｓ２２においてＡＣアダプタ２０が電源端子２１に接続されていない場合、マイコン２６は、切替スイッチ１２の接点位置を検出する（Ｓ２９）。
【００７４】
Ｓ２９において切替スイッチ１２の接点位置がバッテリ７ａ側に位置していると検出された場合、マイコン２６は、切替スイッチ１２によってバッテリ７ａが選択されている判断し、スイッチ制御ＩＣ３４を介して電子スイッチ３２を制御し、バッテリ７ａとバッテリライン２４とを接続し、充電・放電ＩＣ２３を制御して、ＤＣライン２２とバッテリライン２４とを接続する。これにより、外部から、ＡＣアダプタ２０、電源端子２１、ＤＣライン２２、及びバッテリライン２４を介して、バッテリ７ａへ電力が供給され、バッテリ７ａは充電される。また、マイコン２６は、ＬＥＤ１６ａを発光させる（Ｓ３０）。
【００７５】
Ｓ２９において切替スイッチ１２の接点位置がバッテリ７ｂ側に位置していると検出された場合、マイコン２６は、切替スイッチ１２によってバッテリ７ｂが選択されている判断し、スイッチ制御ＩＣ３４を介して電子スイッチ３２を制御し、バッテリ７ｂとバッテリライン２４とを接続し、充電・放電ＩＣ２３を制御して、ＤＣライン２２とバッテリライン２４とを接続する。これにより、外部から、ＡＣアダプタ２０、電源端子２１、ＤＣライン２２、及びバッテリライン２４を介して、バッテリ７ｂへ電力が供給され、バッテリ７ｂは充電される。また、マイコン２６は、ＬＥＤ１６ｂを発光させる（Ｓ３１）。
【００７６】
上述したバッテリ着脱ユニットによれば、複数のバッテリを独立して着脱することが可能であると共に、選択されたバッテリを誤って取り外してしまうというご操作を防止することができる。
【００７７】
また、上述したバッテリ着脱ユニットを備えた電子機器によれば、マイコン２６でバッテリ７ａ，７ｂの残量を検出することが可能であり、切替スイッチ１２を切り替えることで各バッテリ７ａ，７ｂの残量を、共通のマイコン２６処理で個別に検出することができる。
即ち、上述したバッテリ着脱ユニットを備えた電子機器によれば、複雑な回路を必要とすることなく、装着された複数のバッテリの残量を個別に検出することができる。
【００７８】
本発明の実施の形態は、上述した構成及び手順に限定されるものではなく、本発明の要旨を逸脱しない範囲において変形例としてもよいのは言うまでもない。
【００７９】
本発明の実施の形態において、２つのバッテリを装着する前提で説明したが、装着されるバッテリの数は２つに限定されるものではなく、本発明は複数のバッテリについて適用可能である。
【符号の説明】
【００８０】
１＿ビデオカメラ、  ２＿撮像部、  ３＿表示部、  ４＿回路部、  ５＿バッテリ着脱ユニット、  ６＿本体部、  １０＿電源基板、  １１，１１ａ，１１ｂ＿導光レンズ、  １２＿切替スイッチ、  １２ａ＿切替ツマミ、  １３，１３ａ，１３ｂ＿コイルばね、  １４，１４ａ，１４ｂ＿取り出しボタン、  １５＿バッテリ収納ケース、  １５ｃ＿バッテリ装着部、  １６ａ，１６ｂ＿ＬＥＤ
【図１】
2014203803.tif 000003
【図２】
2014203803.tif 000004
【図３】
2014203803.tif 000005
【図４】
2014203803.tif 000006
【図５】
2014203803.tif 000007
【図６】
2014203803.tif 000008
【図７】
2014203803.tif 000009
【図８】
2014203803.tif 000010
【図９】
2014203803.tif 000011
【図１０】
2014203803.tif 000012
【図１１】
2014203803.tif 000013
【図１２】
2014203803.tif 000014